(57)【要約】【課題】  フィルタ上に汚物や残滓が残されることによって生ずるフィルタの目詰まり、洗浄水を循環させる洗浄用のポンプの性能低下を防止する。【解決手段】  軸流インペラ２０８の正回転動作によって貯留槽１０５に貯留された洗浄水を吸入口２１３から吸い込んで吐出口２１４から吐出する過程で加圧動作を行なう軸流ポンプ１０７を設け、この軸流ポンプ１０７から吐出された洗浄水を洗浄ノズル体１０８から洗浄対象物（例えば食器１５１）に向けて噴射することを繰り返し、例えば洗浄終了後に貯留槽１０５に貯留された洗浄水を排水ポンプ１１０で排水するに際して、軸流インペラ２０８を逆回転駆動させ、軸流ポンプ１０７の吸入口２１３に連絡する洗浄水吸入空間５０１の給水口５０１ａの部分に配置されたフィルタ１１１に残された汚物や残滓を浮き上がらせ、洗浄水と共に排水できるようにした。【選択図】    図１
2005334027.tif 000002
【特許請求の範囲】
【請求項１】
洗浄槽と、
前記洗浄槽の内部で洗浄対象物を保持する洗浄対象物保持部と、
洗浄水を貯留する貯留槽と、
軸流インペラの正回転動作によって前記貯留槽に貯留された洗浄水を吸入口から吸い込んで吐出口から吐出する過程で加圧動作を行なう軸流ポンプと、
前記軸流ポンプから吐出された洗浄水を取り入れて前記洗浄対象物保持部に保持された洗浄対象物に向けて噴射する洗浄ノズル体と、
前記貯留槽に貯留された洗浄水を排水する排水ポンプと、
前記貯留槽の内部において前記軸流ポンプの前記吸入口に連絡する洗浄水吸入空間をその吸入口部分を残して他の空間から仕切る仕切り部と、
前記洗浄水吸入空間の前記吸入口部分に配置されたフィルタと、
前記排水ポンプによって前記貯留槽に貯留された洗浄水を排水する際、前記軸流インペラを逆回転駆動させる手段と、
を備える洗浄機。
【請求項２】
前記軸流ポンプは、モータを有し、このモータのロータをこのロータの外周部に螺旋溝の流路が形成された軸流インペラとするモータ一体型ポンプとして構成されている、請求項１記載の洗浄機。
【請求項３】
前記手段は、前記洗浄ノズル体内の洗浄水が前記吐出口まで排水されない範囲で前記軸流インペラを逆回転駆動させる、請求項１記載の洗浄機。
【請求項４】
前記手段は、前記排水ポンプを駆動して前記貯留槽に貯留された洗浄水を排水する動作と並行して前記軸流インペラを逆回転駆動させる、請求項１記載の洗浄機。
【請求項５】
前記手段は、前記軸流インペラを間欠的に逆回転駆動させる、請求項１記載の洗浄機。
【請求項６】
洗浄対象物の洗浄動作の終了までの間に、前記軸流インペラを逆回転駆動させる動作と前記排水ポンプを駆動して前記貯留槽に貯留された洗浄水を排水する動作とを複数回繰り返す、請求項１記載の洗浄機。
【発明の詳細な説明】
【技術分野】
【０００１】
本発明は、食器等の洗浄対象物を洗浄する洗浄機に関する。
【背景技術】
【０００２】
食器等の洗浄対象物を洗浄する洗浄機では、貯留槽に貯留された洗浄水を洗浄用のポンプに吸入して加圧し、洗浄ノズル体から噴射させて洗浄対象物に噴きかけるようにしている。洗浄対象物に噴きかけた洗浄水は貯留槽に戻され、再度、洗浄用のポンプに吸入されて加圧され、洗浄ノズル体から噴射される。この際、洗浄対象物に噴きかけられて貯留槽に戻る洗浄水には、洗浄対象物から脱落した汚物や残滓等が混入する。そこで、このような汚物や残滓が洗浄用のポンプによって極力再循環されないようにする工夫が必要となる。
【０００３】
特許文献１には、洗浄対象物に噴きかけられて貯留槽に戻る洗浄水に含まれる残滓をフィルタ（１次フィルタ８）で捕捉し、洗浄用のポンプに吸入されることを防止するようにした発明が記載されている。
【０００４】
特許文献２には、洗浄対象物に噴きかけられて貯留槽に戻る洗浄水に含まれる比較的大型の異物をフィルタ（異物侵入防止フィルタ１７）で捕捉し、このフィルタを通過した比較的小さな異物を遠心分離装置によって洗浄水から分離するようにした発明が記載されている。
【０００５】
【特許文献１】特開平０２−１４０１２８号公報
【特許文献２】特開平０２−１２８７３７号公報
【発明の開示】
【発明が解決しようとする課題】
【０００６】
しかしながら、特許文献１、２のいずれに記載された発明も、フィルタに捕捉された汚物や残滓等は、人手によってフィルタの洗浄をしない限り、そのままフィルタ上に残される。このため、フィルタの目詰まりが生じたり、洗浄水を循環させる洗浄用のポンプの性能低下を生じさせたりする、という問題がある。
【０００７】
本発明の目的は、フィルタ上に汚物や残滓が残されることによって生ずるフィルタの目詰まり、洗浄水を循環させる洗浄用のポンプの性能低下を防止することである。
【課題を解決するための手段】
【０００８】
本発明は、洗浄槽と、前記洗浄槽の内部で洗浄対象物を保持する洗浄対象物保持部と、洗浄水を貯留する貯留槽と、軸流インペラの正回転動作によって前記貯留槽に貯留された洗浄水を吸入口から吸い込んで吐出口から吐出する過程で加圧動作を行なう軸流ポンプと、前記軸流ポンプから吐出された洗浄水を取り入れて前記洗浄対象物保持部に保持された洗浄対象物に向けて噴射する洗浄ノズル体と、前記貯留槽に貯留された洗浄水を排水する排水ポンプと、前記貯留槽の内部において前記軸流ポンプの前記吸入口に連絡する洗浄水吸入空間をその吸入口部分を残して他の空間から仕切る仕切り部と、前記洗浄水吸入空間の前記吸入口部分に配置されたフィルタと、を備え、前記排水ポンプによって前記貯留槽に貯留された洗浄水を排水する際、前記軸流インペラを逆回転駆動させるようにした。
【発明の効果】
【０００９】
本発明によれば、排水ポンプによって貯留槽に貯留された洗浄水を排水する際、軸流インペラを逆回転駆動させるので、フィルタに捕捉された汚物や残滓等が浮き上がり、浮き上がった汚物や残滓等を排水される洗浄水と共に廃棄することができ、したがって、フィルタの目詰まりや、洗浄水を循環させる軸流ポンプの性能低下を防止することができる。
【発明を実施するための最良の形態】
【００１０】
本発明の実施の一形態を図１ないし図８に基づいて説明する。本実施の形態は、食器洗浄機への適用例である。
【００１１】
図１は、全体の縦断正面図である。図２は、その縦断側面図である。洗浄機としての食器洗浄機１０１は、筐体１０２の内部上方に洗浄槽１０３を有する。洗浄槽１０３には、洗浄対象物保持部として食器籠１０４が設けられている。食器籠１０４は、皿等の洗浄対象物である食器１５１を収納する。筐体１０２の内部下方には、洗浄水を貯留する貯留槽１０５と機器収納空間１０６とが設けられている。機器収納空間１０６には、軸流ポンプ１０７が設けられている。貯留槽１０５の上部には、洗浄ノズル体１０８が配置されている。食器洗浄機１０１は、貯留槽１０５に貯留された洗浄水を貯留槽１０５に吸い込ませて圧縮し、圧縮した洗浄水を洗浄ノズル体１０８に送り、この洗浄ノズル体１０８に設けられた複数個のノズル１０９から噴射させる、という基本構成を備えている。ノズル１０９から噴射した洗浄水は、食器籠１０４に保持された食器１５１に噴きかけられ、これによって食器１５１の洗浄が行なわれる。貯留槽１０５に残る使用済みの洗浄水は、排水ポンプ１１０によって外部に排水される。
【００１２】
次に、各部の詳細について説明する。
【００１３】
貯留槽１０５は、筐体１０２の下方に配置されている。貯留槽１０５には、洗浄水を導入するための図示しない給水口が設けられている。また、図２に示すように、貯留槽１０５の底部では、貯留槽１０５の上方空間から洗浄水吸入空間５０１及び排水空間５０２が仕切られている。洗浄水吸入空間５０１と排水空間５０２との間も仕切られている。このような仕切りは、仕切り部５０３によってなされている。図２に示すように、洗浄水吸入空間５０１の給水口５０１ａと排水空間５０２の排水口５０２ａとは、互いに隣接して配置されている。図２からも明らかなように、これらの給水口５０１ａ及び排水口５０２ａは、排水口５０２ａの部分で最も低くなるように傾斜が付けられている。そして、洗浄水吸入空間５０１の給水口５０１ａにのみ、フィルタ１１１が設けられている。
【００１４】
軸流ポンプ１０７について説明する。図１及び図２において、２０１はモータである。モータ２０１は、筒状のステータ２０２とロータ２０３とによって構成されている。ステータ２０２は、環状の鉄心を積層することにより形成されたステータコア２０４と、このステータコア２０４に巻回されたコイル２０５と、このコイル２０５をステータコア２０４の端面とともに覆う樹脂層２０６とを有する。ロータ２０３は、中心に回転軸２０７を固定的に備えた軸流インペラ２０８と、この軸流インペラ２０８の外周の一部に設けられた磁極２０９とを有する。軸流インペラ２０８は、円柱体２１０の外周に螺旋溝２１１を形成した構造のものである。回転軸２０７は、上下二箇所を軸受２１２で回転自在に保持されている。
【００１５】
軸流ポンプ１０７は、下方に吸入口２１３を有し、上方に吐出口２１４を有する。吸入口２１３は、貯留槽１０５に連絡する洗浄水吸入空間５０１に連絡して配置され、軸流インペラ２０８の正回転に伴い貯留槽１０５に貯留されて洗浄水吸入空間５０１に導入された洗浄水を吸い込む。吐出口２１４は、連結管１１２によって洗浄ノズル体１０８に密閉的に連結されている。このような軸流ポンプ１０７は、軸流インペラ２０８が正回転することによって洗浄水を吸入口２１３から吸い込み、逆回転することによって洗浄水を吸入口２１３から排出する構造である。
【００１６】
排水ポンプ１１０は、排水空間５０２の排水口５０２ａの近傍に配置されている。排水ポンプ１１０は、排水空間５０２の内部に配置されたファン１１０ａを回転駆動することによって、貯留槽１０５から排水空間５０２に流れ込んだ洗浄水を配水管１１３を介して外部に排水する。
【００１７】
貯留槽１０５には、ヒータ１１４が設けられている。このヒータ１１４は、通電されて発熱し、貯留槽１０５に貯留された洗浄水を加熱する。
【００１８】
機器収納空間１０６には、乾燥装置１１５が設けられている。この乾燥装置１１５は、空調モータ１１６によって空調ファン１１７を回転駆動して空気の流れを生じさせ、ダクト１１８を介して空気を洗浄槽１０３に導く構造のものである。
【００１９】
図３は、各部のハードウエア構成を示すブロック図である。軸流ポンプ１０７等の各部は、マイクロコンピュータ３０１によって駆動制御される。マイクロコンピュータ３０１を構成するために、各種演算処理を実行して各種信号を入出力することで各部を制御するＣＰＵ３０２が設けられ、このＣＰＵ３０２にはＲＯＭ３０３及びＲＡＭ３０４がシステムバス３０５を介して接続されている。ＲＯＭ３０３は制御プログラム等の固定データを固定的に格納する。ＲＡＭ３０４は可変データを書き換え自在に記憶する。ＲＡＭ３０４の書き換え自在な記憶領域は、例えば、ＲＯＭ３０３に格納された制御プログラムに従い動作するＣＰＵ３０２がワークエリアとして使用する。このようにして構成されたマイクロコンピュータ３０１には、システムバス３０５を介して、軸流ポンプ１０７、排水ポンプ１１０、ヒータ１１４、及び乾燥装置１１５のそれぞれの図示しない駆動制御回路が接続されている。更に、マイクロコンピュータ３０１にシステムバス３０５を介して接続されるものとして、それぞれ外観を図示しない操作部３０６、電磁弁３０７、及び水位センサ３０８が設けられている。
【００２０】
操作部３０６は、例えば動作モードを選択したり、動作開始を指示したりするのに用いられる。
【００２１】
電磁弁３０７は、貯留槽１０５に対する洗浄水の導入を制御する。つまり、電磁弁３０７が開くことにより、貯留槽１０５に洗浄水を導入することができるように構成されている。
【００２２】
水位センサ３０８は、電磁弁３０７が開いて貯留槽１０５に洗浄水が導入されるに際して、その水位を監視する。一例として、ＲＯＭ３０３に格納されたプログラムは、洗浄水の水位が水位センサの配置位置に達した場合、ＣＰＵ３０２が電磁弁３０７に対して閉じるべき信号を出力するよう、プログラムされている。
【００２３】
図４は、食器洗浄のための基本的な処理の流れを示すフローチャートである。ＲＯＭ３０３に格納されたプログラムは、食器洗浄のための基本的な処理として、洗浄開始時の発生を監視している（ステップＳ１０１）。例えば、操作部３０６からの指示で洗浄開始が指示されると、洗浄開始時があったと判定され（ステップＳ１０１のＹ）、電磁弁３０７をオンにする処理が実行される（ステップＳ１０２）。これにより、貯留槽１０５に洗浄水が導入される。水位センサ３０８は、貯留槽１０５に導入された洗浄水の水位が規定の水位になったことを検出する。そこで、水位センサ３０８がオンになると（ステップＳ１０３のＹ）、電磁弁３０７に対してオフ信号が出力される（ステップＳ１０４）。これにより、電磁弁３０７が閉じられ、貯留槽１０５に対する洗浄水の給水が停止される。その後、ヒータ１１４のオン信号が出力される。
【００２４】
図５は、ヒータ制御処理を示すフローチャートである。ＣＰＵ３０２は、ヒータオンイベントの発生を監視している（ステップＳ１５１）。図１中のステップＳ１０５におけるヒータオン信号発生は、ヒータオンイベントである。そこで、ＣＰＵ３０２は、ヒータオンイベントが発生すると（ステップＳ１５１のＹ）、ヒータ１１４のオン信号が出力され、これによってヒータ１１４が駆動されて発熱し、貯留槽１０５に貯留された洗浄水が加熱される。その後、ヒータオフイベントが発生すれば（ステップＳ１５３のＹ）、ヒータ１１４のオフ信号が出力され、これによってヒータ１１４の駆動が停止される。このようなヒータ１１４のオンオフ制御は、例えば、サーモスタットによってヒータ１１４の温度を検出し、必要に応じて実行すれば良い。
【００２５】
図４のフローチャートに戻る。ヒータ１１４が駆動されて発熱し、貯留槽１０５に貯留された洗浄水が加熱された後、洗浄動作が実行され（ステップＳ１０６）、すすぎ処理（ステップＳ１０７）が規定回数に達するまで実行され（ステップＳ１０８のＹ）、その後、感想処理（ステップＳ１０９）が規定時間経過するまで実行される（ステップＳ１１０のＹ）。ステップＳ１０９の乾燥処理は、ヒータ１１４をオンにして洗浄槽１０３の内部の温度を上昇させ、これと並行して乾燥装置１１５を動作させる。つまり、空調モータ１１６によって空調ファン１１７を回転駆動して空気の流れを生じさせ、ダクト１１８を介して空気を洗浄槽１０３に導く。これにより、ヒータ１１４によって暖められた空気がダクト１１８を介して洗浄槽１０３の内部、とりわけ洗浄対象物である食器１５１に向けて導かれ、食器１５１の乾燥が促進される。こうして、食器１５１の洗浄、すすぎ、乾燥という一連の動作を含む広義の洗浄処理が実行される。
【００２６】
図６は、すすぎ処理（ステップＳ１０７）の概要を示すフローチャートである。すすぎ処理（ステップＳ１０７）が実行される際には、これに先行する洗浄動作（ステップＳ１０６）の実行に伴い、貯留槽１０５から洗浄水が排水されている状態となっている。この処理については後述する（図７ないし図９参照）。そこで、すすぎ処理（ステップＳ１０７）は、貯留槽１０５に洗浄水を満たすことから始まる。そこで、最初に、電磁弁３０７をオンにする処理が実行される（ステップＳ１０７ａ）。これにより、貯留槽１０５に洗浄水が導入される。水位センサ３０８は、貯留槽１０５に導入された洗浄水の水位が規定の水位になったことを検出する。そこで、水位センサ３０８がオンになると（ステップＳ１０７ｂのＹ）、電磁弁３０７に対してオフ信号が出力される（ステップＳ１０７ｃ）。これにより、電磁弁３０７が閉じられ、貯留槽１０５に対する洗浄水の給水が停止される。この状態で、すすぎ動作が実行される（ステップＳ１０７ｄ）。
【００２７】
以下、洗浄動作（ステップＳ１０６）及びすすぎ動作（ステップＳ１０７ｄ）の詳細を図７ないし図９のフローチャートに示す。これらの図７ないし図９のフローチャートは、洗浄動作（ステップＳ１０６）及びすすぎ動作（ステップＳ１０７ｄ）について、それぞれ異なるパターンを示している。どのパターンが選択されるかは、一例として、操作部３０６で選択した動作モードの種類に依存する。つまり、ＲＯＭ３０３に格納された制御プログラムは、操作部３０６で選択した動作モードに応じた洗浄動作（ステップＳ１０６）及びすすぎ動作（ステップＳ１０７ｄ）のパターンを提供する。以下、それぞれの処理について述べる。
【００２８】
図７は、洗浄動作及びすすぎ動作の一パターンを示すフローチャートである。まず、軸流ポンプ１０７が正回転駆動される。つまり、コイル２０５に電流を流し、軸流インペラ２０８が正回転する方向にロータ２０３を回転させる。これに伴い、軸流インペラ２０８が正回転し、この回転によって、貯留槽１０５の洗浄水吸入空間５０１に貯留されている洗浄水が軸流ポンプ１０７の吸入口２１３から吸入され、吐出口２１４から洗浄ノズル体１０８に至る空間内で圧縮される。これにより、洗浄ノズル体１０８に形成された複数個のノズル１０９から洗浄水が噴射され、洗浄槽１０３の内部で食器籠１０４に保持された食器１５１に噴きかけられる。食器１５１を洗浄し、又はすすいだ洗浄水は、貯留槽１０５に戻り、その一部はフィルタ１１１を通って濾過された後に給水口５０１ａから洗浄水吸入空間５０１に至り、他の一部は排水口５０２ａから排水空間５０２に至る。洗浄水吸入空間５０１に戻された洗浄水は、再度、軸流ポンプ１０７の吸入口２１３から吸入され、吐出口２１４から洗浄ノズル体１０８に至る空間内で圧縮され、洗浄ノズル体１０８に形成された複数個のノズル１０９から噴射される。このような動作の繰り返しによって、食器１５１の洗浄又はすすぎがなされる。
【００２９】
軸流ポンプ１０７を正回転駆動させての食器１５１の洗浄動作は、規定時間実行される（ステップＳ２０１、Ｓ２０２）。つまり、軸流ポンプ１０７を正回転駆動させてから規定時間が経過すると、規定時間経過の判定がなされ（ステップＳ２０２のＹ）、軸流ポンプ１０７の停止処理が実行される（ステップＳ２０３）。その後、排水ポンプ１１０が駆動され、貯留槽１０５から洗浄水を排水する。排水される洗浄水は、貯留槽１０５の内部で排水口５０２ａから排水空間５０２に至った洗浄水である。排水空間５０２に流れ込んだ洗浄水は、排水空間５０２の内部に配置されたファン１１０ａの回転に伴い、配水管１１３を介して外部に排水される。このような排水ポンプ１１０を駆動させての排水動作は、規定時間経過するまで実行される（ステップＳ２０４、Ｓ２０５）。そして、規定時間が経過したならば（ステップＳ２０５のＹ）、排水ポンプ１１０の停止処理が実行される（ステップＳ２０６）。
【００３０】
図８は、洗浄動作及びすすぎ動作の別のパターンを示すフローチャートである。まず、軸流ポンプ１０７が正回転駆動され（ステップＳ３０１）、食器１５１の洗浄又はすすぎがなさる。規定時間経過の判定がなされると（ステップＳ３０２のＹ）、軸流ポンプ１０７の停止処理が実行される（ステップＳ３０３）。その後、軸流ポンプ１０７が逆回転駆動される（ステップＳ３０４）。つまり、コイル２０５に電流を流し、軸流インペラ２０８が逆回転する方向にロータ２０３を回転させる（排水ポンプ１１０によって貯留槽１０５に貯留された洗浄水を排水する際、軸流インペラ２０８を逆回転駆動させる手段）。これに伴い、軸流インペラ２０８が逆回転し、この回転によって、洗浄水が軸流ポンプ１０７の吸入口２１３から排出される。これにより、洗浄水吸入空間５０１に貯留されている洗浄水が貯留槽１０５の他の領域に戻される。この際、戻される洗浄水がフィルタ１１１を逆流するため、フィルタ１１１に付着している汚物や残滓等がフィルタ１１１から浮き上がり、剥離する。
【００３１】
ここで、フィルタ１１１に対して汚物や残滓等が強固に付着している場合には、軸流ポンプ１０７の逆回転駆動時における洗浄水の吐出圧が大きくないと、フィルタ１１１から汚物や残滓等を浮き上がらせるのが困難な場合がある。これに対して、本実施の形態の軸流ポンプ１０７は、ロータ２０３の円柱体２１０の外周面に螺旋溝２１１が形成された軸流インペラ２０８を用いている構造上、ロータ２０３が正回転した場合と逆回転した場合とのポンプ効率を同一にすることが可能である。したがって、本実施の形態によれば、軸流ポンプ１０７の逆回転駆動時における洗浄水の吐出圧を高めることが可能である。
【００３２】
このようなステップＳ３０４での軸流ポンプ１０７の逆回転駆動後、排水ポンプ１１０が駆動される（ステップＳ３０５）。したがって、軸流ポンプ１０７と排水ポンプ１１０との駆動が並行することになる。この際、排水ポンプ１１０が駆動されると、排水口５０２ａの周辺の洗浄水に排水空間５０２への吸引力が働く。このため、フィルタ１１１から浮き上がり剥離された汚物や残滓等は、排水ポンプ１１０の駆動によって洗浄水と共に排水空間５０２に流れ込み、配水管１１３を介して外部に排水されることになる。したがって、フィルタ１１１を清浄に保つことができ、フィルタ１１１の目詰まりや、洗浄水を循環させる軸流ポンプ１０７の性能低下を防止することができる。
【００３３】
軸流ポンプ１０７と排水ポンプ１１０との並行駆動後は、軸流ポンプ１０７の停止処理が実行されていないことを条件に（ステップＳ３０６のＮ）、軸流ポンプ１０７の駆動時間を規定する第１の規定時間経過の有無が判定される（ステップＳ３０７）。第１の規定時間が経過した場合には、これが判定され（ステップＳ３０７のＹ）、軸流ポンプ１０７の停止処理が実行される（ステップＳ３０８）。これにより、ステップＳ３０６では、軸流ポンプ１０７の停止処理が実行されたと判定されるので（ステップＳ３０６のＹ）、続いて排水ポンプ１１０の駆動時間を規定する第２の規定時間経過の有無が判定される（ステップＳ３０９）。第２の規定時間が経過した場合には、これが判定され（ステップＳ３０９のＹ）、排水ポンプ１１０の停止処理が実行される（ステップＳ３１０）。
【００３４】
ここで、軸流ポンプ１０７の駆動時間を規定する第１の規定時間は、軸流インペラ２０８の逆回転によって、洗浄ノズル体１０８の内部の洗浄水が軸流ポンプ１０７の吐出口２１４まで排水されない範囲の時間に設定されている。これは、軸流インペラ２０８を正回転させてポンプ作用をさせる際、動作初期時にポンプ出力が低下してしまうことを防止するためである。つまり、軸流インペラ２０８の螺旋溝２１１の内部に留まっている洗浄水まで吸入口２１３から排出してしまうと、洗浄ノズル体１０８のノズル１０９を介して吸引される空気が軸流ポンプ１０７の内部に入り込む。このため、再び軸流インペラ２０８を正回転させてポンプ作用をさせる際、動作初期時にポンプ出力が低下してしまう。そこで、本実施の形態では、軸流インペラ２０８を逆回転させて洗浄水を排水するに際して、洗浄ノズル体１０８の内部の洗浄水が軸流ポンプ１０７の吐出口２１４まで排水されないように制御している。
【００３５】
図９は、洗浄動作及びすすぎ動作の更に別のパターンを示すフローチャートである。まず、軸流ポンプ１０７が正回転駆動され（ステップＳ４０１）、食器１５１の洗浄又はすすぎがなさる。規定時間経過の判定がなされると（ステップＳ４０２のＹ）、軸流ポンプ１０７の停止処理が実行される（ステップＳ４０３）。その後、軸流ポンプ１０７が短時間逆回転駆動される（ステップＳ４０４）。つまり、コイル２０５に電流を流し、軸流インペラ２０８が逆回転する方向にロータ２０３を回転させる（排水ポンプ１１０によって貯留槽１０５に貯留された洗浄水を排水する際、軸流インペラ２０８を短時間間欠的に逆回転駆動させる手段）。これに伴い、軸流インペラ２０８が逆回転し、この回転によって、軸流インペラ２０８の内部及びこの軸流インペラ２０８から洗浄ノズル体１０８に至る空間内に留まっている洗浄水が軸流ポンプ１０７の吸入口２１３から排出される。これにより、洗浄水吸入空間５０１に貯留されている洗浄水が貯留槽１０５の他の領域に戻される。このような軸流ポンプ１０７の短時間の逆回転駆動という処理は、規定回数に達するまで繰り返される（ステップＳ４０５）。これにより、洗浄水吸入空間５０１に貯留されている洗浄水が貯留槽１０５の他の領域に戻されるという動作が、間欠的に複数回繰り返されることになる。この際、洗浄水吸入空間５０１に貯留されている洗浄水が貯留槽１０５の他の領域に戻される度に、戻される洗浄水がフィルタ１１１を逆流すると共にフィルタ１１１に衝撃力を与える。これにより、フィルタ１１１に付着している汚物や残滓等がフィルタ１１１から浮き上がり、剥離する。
【００３６】
軸流ポンプ１０７を短時間逆回転駆動する処理が規定回数繰り返されると（ステップＳ４０５のＹ）、排水ポンプ１１０が駆動される（ステップＳ４０６）。排水ポンプ１１０が駆動されると、排水口５０２ａの周辺の洗浄水に排水空間５０２への吸引力が働く。このため、フィルタ１１１から浮き上がり剥離された汚物や残滓等は、排水ポンプ１１０の駆動によって洗浄水と共に排水空間５０２に流れ込み、配水管１１３を介して外部に排水されることになる。したがって、フィルタ１１１を清浄に保つことができ、フィルタ１１１の目詰まりや、洗浄水を循環させる軸流ポンプ１０７の性能低下を防止することができる。排水ポンプ１１０が駆動された後、規定時間の経過が判定されると（ステップＳ４０７のＹ）、排水ポンプ１１０の停止処理が実行される（ステップＳ４０８）。
【００３７】
以上、図７ないし図９に基づいて、洗浄動作（ステップＳ１０６）及びすすぎ動作（ステップＳ１０７ｄ）について、異なる三つのパターンを説明した。これらの異なる三つのパターンは、一例として、操作部３０６で選択した動作モードの種類に依存して、他の一例として、すすぎ処理（ステップＳ１０７）でのすすぎ回数に応じて、適宜選択される。例えば、通常の洗浄処理（１０６）は図７に例示するパターンで実行し、何回に一回は図８又は図９に例示するパターンで実行することや、洗浄対象物である食器１５１に付着した汚れの種類に応じて図７ないし図９のいずれか一のパターンが適宜設定されるようにすること等が可能である。また、すすぎ処理（ステップＳ１０７）において、最初のすすぎ動作に図９のパターンで実行し、二回目のすすぎ処理は図８のパターンで実行し、三回目以降のすすぎ処理は図７のパターンで実行する、というようなことも考えられる。
【００３８】
別の実施の形態としては、洗浄動作（ステップＳ１０６）中に、図７ないし図９のいずれか一種類又は二種類以上のパターン、とりわけ図８又は図９のパターンを複数回実行しても良い。この場合、いずれのパターンが実行されても、貯留槽１０５から洗浄水が排水される。そこで、洗浄水を排水した後、図４中のステップＳ１０２からステップＳ１０５までの処理を実行した後に図７ないし図９のパターンを実行する、ということを複数回繰り返す。これにより、食器１５１から脱落した汚物や残滓等が最も多くフィルタ１１１に捕捉される洗浄中、フィルタ１１１が捕捉した汚物や残滓等を洗浄水と共に速やかに排出することができ、フィルタ１１１をより清浄に保つことが可能となる。したがって、清浄な洗浄水を使用して食器１５１の洗浄動作（ステップＳ１０６）を行うことが可能となり、より効果的な洗浄を行なうことができる。
【図面の簡単な説明】
【００３９】
【図１】本発明の実施の一形態を示す全体の縦断正面図である。
【図２】その縦断側面図である。
【図３】各部のハードウエア構成を示すブロック図である。
【図４】食器洗浄のための基本的な処理の流れを示すフローチャートである。
【図５】ヒータ制御処理を示すフローチャートである。
【図６】すすぎ処理の概要を示すフローチャートである。
【図７】洗浄動作及びすすぎ動作の一パターンを示すフローチャートである。
【図８】洗浄動作及びすすぎ動作の別のパターンを示すフローチャートである。
【図９】洗浄動作及びすすぎ動作の更に別のパターンを示すフローチャートである。
【符号の説明】
【００４０】
１０３      洗浄槽
１０４      洗浄対象物保持部（食器棚）
１０５      貯留槽
１０７      軸流ポンプ
１０８      洗浄ノズル体
１１０      排水ポンプ
１１１      フィルタ
２０１      モータ
２０３      ロータ
２０８      軸流インペラ
２１１      螺旋溝
２１３      吸入口
２１４      吐出口
１５１      洗浄対象物（食器）
５０１      洗浄水吸入空間
５０１ａ    給水口
５０３      仕切り部
【図１】
2005334027.tif 000003
【図２】
2005334027.tif 000004
【図３】
2005334027.tif 000005
【図４】
2005334027.tif 000006
【図５】
2005334027.tif 000007
【図６】
2005334027.tif 000008
【図７】
2005334027.tif 000009
【図８】
2005334027.tif 000010
【図９】
2005334027.tif 000011